(57)【要約】      （修正有）【課題】紙幣以外に多様な種類の券類を読み取り、その種類、内容に応じた精算処理を行う精算機を提供する。【解決手段】購入に係る商品の選択を受け付ける入力部１０１と、紙幣または券類を投入、排出する投入口１０２と、投入物搬送路１０３と、投入物が紙幣か券類かの判別部と、紙幣の種類、金額認識部と、紙幣、券類の画像データ取得部１１１と、券類データベースのメモリ１０６と、画像データ、データベースに基づき、券類の種類、内容を認識する券類認識部と、制御部１００は、投入物が紙幣か券類かを判別部に判別させ、紙幣の場合、種類、金額を紙幣認識部に認識させ、券類の場合、種類、内容を券類認識部に認識させ、券類が有効と判断した場合、券類を受け付け、入力部１０１によって選択された商品の販売額、紙幣の金額、券類の内容に基づき釣銭額を決定し、券類が無効なものと判断した場合、搬送部を制御して券類を投入口１０２から排出させる。【選択図】図１
2016181028.tif 000002
【特許請求の範囲】
【請求項１】
購入に係る商品の選択指令を受け付ける入力部と、
紙幣または紙幣以外の券類を投入し、または排出する投入口と、
前記投入口から投入された投入物を搬送させる搬送部と、
前記投入物が紙幣か券類かを判別する判別部と、
前記紙幣の種類およびその金額を認識する紙幣認識部と、
前記紙幣および前記券類の画像データを取得する画像データ取得部と、
有効な前記券類のデータベースを予め保持したメモリと、
前記画像データおよび前記データベースに基づき、前記券類の種類および内容を認識する券類認識部と、
制御部とを備え、
前記制御部は、前記投入物が紙幣か券類かを前記判別部に判別させ、前記投入物が紙幣の場合、その種類および金額を前記紙幣認識部に認識させ、前記投入物が券類の場合、その種類および内容を前記券類認識部に認識させ、前記券類が有効なものと判断した場合、前記券類を受け付け、前記入力部によって選択された前記商品の販売額、前記紙幣の金額および前記券類の内容に基づき釣銭額を決定し、一方、前記券類が無効なものと判断した場合、前記搬送部を制御して前記券類を前記投入口から排出させることを特徴とする精算機。
【請求項２】
前記券類の内容は、前記券類の識別用ＩＤおよび有効利用回数を含み、
前記制御部は、前記券類が有効なものと判断した場合、前記券類を受け付け、前記識別用ＩＤおよびその利用回数を前記メモリに保持して精算処理を行った後、前記投入口から前記券類を排出させ、一方、前記券類が無効なものと判断した場合、前記券類を受け付けずに、前記投入口から前記券類を排出させる、請求項１に記載の精算機。
【請求項３】
前記券類の内容は、有効利用期間または期限を含み、前記制御部は、前記有効利用期間または前記期限内であるか否かに基づき、前記券類が有効か否かを判断する、請求項１または２に記載の精算機。
【請求項４】
前記券類の内容は、前記券類の利用期間に応じて異なる割引率または特典を有し、前記制御部は、前記利用期間に応じた処理を行う、請求項１〜３のいずれか１つに記載の精算機。
【請求項５】
前記券類の内容は、前記券類の利用回数によって異なる効力を有し、前記制御部は、前記利用回数に応じた処理を行う、請求項１〜４のいずれか１つに記載の精算機。
【請求項６】
前記メモリは、前記券類に関連付けられた他の券類のデータを前記データベースに保持し、
前記券類および前記他の券類が前記投入口から投入された場合、前記制御部は、前記券類および前記他の券類の組み合わせの種類に応じた処理を行う、請求項１〜５のいずれか１つに記載の精算機。
【請求項７】
請求項１〜６のいずれか１つに記載の精算機を備えた自動販売機。
【発明の詳細な説明】
【技術分野】
【０００１】
この発明は、精算機および前記精算機を備えた自動販売機に関する。
【背景技術】
【０００２】
従来、精算機または紙幣を扱う金銭出納機能を持った機器において、紙幣投入口に紙幣以外のものが投入された場合、磁気センサ等により、紙幣か否かの判別が行われ、紙幣と認識されたときは紙幣を受け入れて精算を行い、紙幣以外のものと認識されたときは、投入物を返却する動作が行われる。
【０００３】
また、割引券などのクーポン券等（以下、「券類」と呼ぶ）については、例えば、紙幣の投入口とは別途設けられたバーコード読取機によってクーポン券に印刷されたバーコードを読み取るものが知られている。
【０００４】
さらに、紙幣投入口とカード投入口とを共通にし、その後方にカード・紙幣識別センサを配置し、購入者によって投入されたものがカードか紙幣かを識別し、カードの場合にはカード読込み回路を始動させる自動販売機の発明も開示されている（例えば、特許文献１を参照）。
【先行技術文献】
【特許文献】
【０００５】
【特許文献１】特開平９−２９７８８０号公報
【発明の概要】
【発明が解決しようとする課題】
【０００６】
しかしながら、従来、紙幣以外の券類も受け付ける精算機は、バーコードの場合はバーコード読取機、磁気カードの場合は磁気ヘッドなど、読み取り対象に応じた読取機やセンサを搭載する必要がある。それゆえ、受け付け可能な券類がセンサの種類によって限定されない精算機が求められていた。
【０００７】
この発明は、以上のような事情を考慮してなされたものであって、その目的は、紙幣以外に多様な種類の券類を読み取ることができ、その種類および内容に応じた適切な精算処理を行う精算機を提供することにある。
【課題を解決するための手段】
【０００８】
この発明は、購入に係る商品の選択指令を受け付ける入力部と、紙幣または紙幣以外の券類を投入し、または排出する投入口と、前記投入口から投入された投入物を搬送させる搬送部と、前記投入物が紙幣か券類かを判別する判別部と、前記紙幣の種類およびその金額を認識する紙幣認識部と、前記紙幣および前記券類の画像データを取得する画像データ取得部と、有効な前記券類のデータベースを予め保持したメモリと、前記画像データおよび前記データベースに基づき、前記券類の種類および内容を認識する券類認識部と、制御部とを備え、前記制御部は、前記投入物が紙幣か券類かを前記判別部に判別させ、前記投入物が紙幣の場合、その種類および金額を前記紙幣認識部に認識させ、前記投入物が券類の場合、その種類および内容を前記券類認識部に認識させ、前記券類が有効なものと判断した場合、前記券類を受け付け、前記入力部によって選択された前記商品の販売額、前記紙幣の金額および前記券類の内容に基づき釣銭額を決定し、一方、前記券類が無効なものと判断した場合、前記搬送部を制御して前記券類を前記投入口から排出させることを特徴とする精算機を提供するものである。
【発明の効果】
【０００９】
この発明によれば、紙幣以外に多様な種類の券類を読み取ることができ、その種類および内容に応じた適切な精算処理を行う精算機を実現する。
【図面の簡単な説明】
【００１０】
【図１】この発明の精算機の概略構成を示すブロック図である。（実施形態１）
【図２】この発明の精算機の処理を示すフローチャートである。（実施形態１）
【図３】この発明の精算機の処理を示すフローチャートである。（実施形態１）
【図４】この発明の精算機の画像データの登録処理を示すフローチャートである。（実施形態１）
【図５】この発明の券類の一例を示す説明図である。（実施形態１）
【図６】この発明の券類の一例を示す説明図である。（実施形態２）
【図７】この発明の券類の一例を示す説明図である。（実施形態３）
【図８】この発明の券類の一例を示す説明図である。（実施形態４）
【図９】この発明の券類の一例を示す説明図である。（実施形態５）
【図１０】この発明の券類の一例を示す説明図である。（実施形態６）
【図１１】この発明の精算機の概略構成を示すブロック図である。（実施形態７）
【図１２】この発明の精算機の処理を示すフローチャートである。（実施形態７）
【図１３】この発明の精算機の処理を示すフローチャートである。（実施形態７）
【図１４】この発明の精算機の処理を示すフローチャートである。（実施形態７）
【図１５（Ａ）】この発明の券類の一例を示す説明図である。（実施形態７）
【図１５（Ｂ）】図１５（Ａ）の券類に関連付けられた他の券類の一例を示す説明図である。（実施形態７）
【図１６】この発明の券類の一例を示す説明図である。（実施形態８）
【図１７】この発明の券類の一例を示す説明図である。（実施形態９）
【図１８】この発明の券類の一例を示す説明図である。（実施形態１０）
【発明を実施するための形態】
【００１１】
以下、図面を用いてこの発明をさらに詳述する。なお、以下の説明は、すべての点で例示であって、この発明を限定するものと解されるべきではない。
【００１２】
〔実施形態１〕
＜精算機１の構成＞
以下、図１〜図５に基づき、この発明の実施形態１に係る精算機１について説明する。
図１は、この発明の精算機１の概略構成を示すブロック図である。図２および図３は、この発明の精算機１の処理を示すフローチャートである。図４は、この発明の精算機１の画像データの登録処理を示すフローチャートである。
【００１３】
精算機１は、購入に係る商品が選択され、投入口１０２から紙幣が投入されたとき、商品の購入金額と投入金額の総額とを比較して、その差額に相当する釣銭を返却する装置である。
【００１４】
図１に示すように、精算機１は、ＣＰＵ１００、入力部１０１、投入口１０２、搬送路１０３、紙幣格納庫１０４、券類格納庫１０５、メモリ１０６、モーター１０７、センサ１０８、紙幣判別装置１０９、搬送路切換ゲート１１０、カメラ１１１、券類認識装置１１２、釣銭取出口１１３および通信部１１４を備える。
【００１５】
以下、図１に示す各構成要素を説明する。
ＣＰＵ１００は、精算機１の各構成要素の動作を制御する部分であり、主として、ＣＰＵ、ＲＯＭ、ＲＡＭ、Ｉ／Ｏコントローラ、タイマー等からなるマイクロコンピュータによって実現される。ＣＰＵ１００は、メモリ１０６に予め記憶された制御プログラムに基づいて、各ハードウェアを有機的に動作させて、後述するようなこの発明の精算機１の処理を実行する。
【００１６】
入力部１０１は、購入に係る商品を選択するためのインターフェイスである。顧客は、入力部１０１を操作することによって、購入したい商品を選択する。
また、釣銭取出口１１３に釣銭が自動で排出されない精算機１の場合、顧客が入力部１０１を操作して釣銭を排出するようにしてもよい。
【００１７】
投入口１０２は、精算機１の内部に紙幣または券類４を投入するための投入口１０２である。
搬送路１０３は、投入口１０２から投入された紙幣または券類４を紙幣格納庫１０４または券類格納庫１０５まで搬送する経路である。
【００１８】
紙幣格納庫１０４は、紙幣を格納するための格納庫である。
券類格納庫１０５は、紙幣以外の券類４を格納するための格納庫である。
【００１９】
メモリ１０６は、精算機１の各種機能を実現するために必要な情報や、制御プログラム、紙幣・券類４のデータベースや券類４の利用回数などを記憶する素子や記憶媒体であり、例えば、ＲＡＭやＲＯＭ等の半導体素子、ハードディスク、フラッシュメモリ等の記憶媒体が用いられる。
【００２０】
モーター１０７は、搬送路１０３の各所に設けられた駆動ギヤを回転させ、投入口１０２から投入された紙幣または券類４を紙幣格納庫１０４または券類格納庫１０５まで搬送するモーターである。ＣＰＵ１００は、モーター駆動信号を送信することによって、モーター１０７を駆動させる。
【００２１】
センサ１０８は、投入口１０２および搬送路１０３の各所に設けられたセンサである。
センサ１０８は、紙幣・券類４が投入されたか否かを検知する。
また、センサ１０８は、搬送路１０３内に設けられたカメラ１１１の撮影位置に紙幣または券類４が搬送されるタイミングを検知する。
【００２２】
紙幣判別装置１０９は、投入口１０２から投入された投入物が紙幣か否かを判別する装置であり、通常、光学センサと磁気センサを備える。
【００２３】
搬送路切換ゲート１１０は、搬送路１０３から紙幣格納庫１０４または券類格納庫１０５への経路の切り換えを行うゲートである。投入口１０２から投入されたものが紙幣と判別された場合、ＣＰＵ１００は、搬送路切換ゲート１１０を制御して、紙幣を紙幣格納庫１０４に搬送し、一方、券類４と判別された場合は、ＣＰＵ１００は、搬送路切換ゲート１１０を制御して、券類４を券類格納庫１０５に搬送する。
【００２４】
カメラ１１１は、センサ１０８が検知した紙幣または券類４の画像を撮影して画像データを取得する部分である。なお、画像データを取得可能なものであれば、カメラ１１１に限られず、例えば、スキャナーであってもよい。
【００２５】
券類認識装置１１２は、カメラ１１１から取得された券類４の画像データを認識し、メモリ１０６に予め格納された券類４の登録画像データのデータベースを参照して、券類４の種類および内容を認識する装置である。
【００２６】
釣銭取出口１１３は、顧客が釣銭を取り出すための取出口である。
【００２７】
通信部１１４は、ネットワーク３を介して、外部のサーバー２と有線または無線による通信を行い、データを送受信する部分である。
ネットワーク３としては、ＬＡＮ、インターネットなどの広域ネットワーク（ＷＡＮ）、専用の通信回線などが用いられる。
【００２８】
＜サーバー２の構成＞
サーバー２は、ＣＰＵ２００、通信部２０１およびメモリ２０２を備える。サーバー２は、精算機１を設置した店舗またはその本店、券類４の発行会社または取扱会社、またはデータセンター等に設置・管理される。
以下、サーバー２の各構成要素について説明する。
【００２９】
ＣＰＵ２００は、サーバー２の各構成要素の動作を制御する部分であり、ＣＰＵ１００と同様の構成を有する。
【００３０】
通信部２０１は、ネットワーク３を介して、精算機１と有線または無線による通信を行い、データを送受信する部分であり、通信部１１４と同様の構成を有する。
【００３１】
メモリ２０２は、紙幣・券類４のデータベースや券類４の利用回数などを記憶する素子や記憶媒体であり、メモリ１０６と同様の構成を有する。
【００３２】
実施形態１において、この発明の「判別部」および「紙幣認識部」は、紙幣判別装置１０９によって実現する。また、この発明の「画像データ取得部」は、カメラ１１１によって実現する。また、この発明の「券類認識部」は、ＣＰＵ１００、カメラ１１１および券類認識装置１１２の協働によって実現する。また、この発明の「取出口」は、釣銭取出口１１３によって実現する。また、この発明の「搬送部」は、搬送路１０３、モーター１０７および搬送路切換ゲート１１０の協働によって実現する。また、この発明の「制御部」は、ＣＰＵ１００によって実現する。
【００３３】
＜精算機１の処理の手順＞
次に、図２および図３に基づき、この発明の精算機１の処理の手順について説明する。
【００３４】
図２のステップＳ１において、投入口１０２に紙幣・券類４が投入されたことをセンサ１０８が検知したとき（ステップＳ１）、ＣＰＵ１００は、続くステップＳ２において、モーター１０７を駆動させて、搬送路１０３内に紙幣・券類４を搬送する（ステップＳ２）。
【００３５】
次に、ステップＳ３において、ＣＰＵ１００は、紙幣判別装置１０９が設けられた位置まで紙幣・券類４を搬送させると、紙幣判別装置１０９に紙幣・券類４の別を判別させ、紙幣の場合は、その金額を判別させる（ステップＳ３）。
紙幣判別装置１０９は、判別結果をＣＰＵ１００に送信する。
【００３６】
次に、ステップＳ４において、ＣＰＵ１００は、紙幣判別装置１０９の判別結果に基づき、投入口１０２から投入された投入物が紙幣か否かを判定する（ステップＳ４）。
投入物が紙幣の場合（ステップＳ４の判定がＹｅｓの場合）、ＣＰＵ１００は、ステップＳ５において、紙幣の金額をメモリ１０６に格納する（ステップＳ５）。
【００３７】
続いてステップＳ６において、ＣＰＵ１００は、モーター１０７および搬送路切換ゲート１１０を制御して、紙幣格納庫１０４に紙幣を搬送する（ステップＳ６）。
【００３８】
一方、ステップＳ４において、投入物が紙幣でない場合（ステップＳ４の判定がＮｏの場合）、ＣＰＵ１００は、当該投入物が券類４であるものとして、ステップＳ７において、モーター１０７および搬送路切換ゲート１１０を制御して、カメラ１１１の撮影位置まで券類４を搬送する（ステップＳ７）。
【００３９】
次に、ステップＳ８において、ＣＰＵ１００は、カメラ１１１に券類４を撮影させて、券類４の画像データを取得させる（ステップＳ８）。
【００４０】
次に、図３のステップＳ９において、ＣＰＵ１００は、カメラ１１１が取得した画像データと、メモリ１０６に予め登録された券類４の登録画像データとを比較する（ステップＳ９）。
【００４１】
次に、ステップＳ１０において、ＣＰＵ１００は、投入口１０２から投入された券類４が登録された券類４か否かを判定する（ステップＳ１０）。
投入口１０２から投入された券類４が登録された券類４の場合（ステップＳ１０の判定がＹｅｓの場合）、ＣＰＵ１００は、ステップＳ１１において、券類４の登録画像データに基づき、券類４の種類を判別してメモリ１０６に格納する（ステップＳ１１）。
一方、投入口１０２から投入された券類４が登録された券類４でない場合（ステップＳ１０の判定がＮｏの場合）、ＣＰＵ１００は、ステップＳ１５の処理を行う（ステップＳ１５）。
【００４２】
次に、ステップＳ１２において、ＣＰＵ１００は、券類４を回収すべきか否かを判定する（ステップＳ１２）。
券類４を回収すべきか否かは、券類４の種類や内容に基づいて判定する。
券類４を回収すべき場合（ステップＳ１２の判定がＹｅｓの場合）、ＣＰＵ１００は、ステップＳ１３の判定を行う（ステップＳ１３）。
一方、券類４を回収すべきでない場合（ステップＳ１２の判定がＮｏの場合）、ＣＰＵ１００は、ステップＳ１５の処理を行う（ステップＳ１５）。
【００４３】
次に、ステップＳ１３において、ＣＰＵ１００は、取得画像データに基づき、券類４の使用期間・使用回数が残っているか否かを判定する（ステップＳ１３）。
券類４の使用期間・使用回数が残っている場合（ステップＳ１３の判定がＹｅｓの場合）、ＣＰＵ１００は、ステップＳ１５の処理を行う（ステップＳ１５）。
一方、券類４の使用期間・使用回数が残っていない場合（ステップＳ１３の判定がＮｏの場合）、ＣＰＵ１００は、ステップＳ１４において、モーター１０７および搬送路切換ゲート１１０を制御して、券類格納庫１０５に券類４を搬送させる（ステップＳ１４）。
【００４４】
最後に、ステップＳ１５において、ＣＰＵ１００は、モーター１０７を制御して搬送路１０３を逆回転させ、投入口１０２から券類４を排出させる（ステップＳ１５）。
【００４５】
次に、図４に基づき、メモリ１０６への券類４の画像データの登録について説明する。
【００４６】
精算機１のＣＰＵ１００は、ステップＳ２１において、通信部１１４を制御して、サーバー２と通信を行わせ、精算機１が設置された店舗の情報を送信させる（ステップＳ２１）。
【００４７】
一方、サーバー２のＣＰＵ２００は、ステップＳ２２において、通信部２０１が受信した店舗情報に基づき、メモリ２０２に予め格納されたデータベースを参照して、当該店舗情報に対応した券類４の登録画像データを精算機１に送信する（ステップＳ３１）。
なお、サーバー２は、各店舗の券類４の最新の登録画像データを常時アップデートして格納するものとする。
【００４８】
次に、精算機１は、ステップＳ２３において、通信部１１４が受信した登録画像をメモリ１０６に格納する（ステップＳ２３）。
【００４９】
このようにして、精算機１は、店舗情報に応じた券類４の最新の登録画像データをサーバー２から取得し、メモリ１０６内に保存することができる。
【００５０】
「登録画像データ」は、以下の項目から成り立つデータである。
（１）券類４に印刷された識別用の特定の絵柄/文字列/記号およびその印刷場所。
（２）券類４を認識した際に取得しなければならない情報の項目とその印刷場所。
例えば、日付、識別用ＩＤ４０２等のシリアル番号、割引券・商品券等の別、割引率等が挙げられる。
（３）券類４を認識した際に有効かどうか判定するために基準となるもの。
例えば、日付、シリアル番号等が挙げられる。
（４）券類４において有効であるかどうかの判定基準。
例えば、クーポン券の有効利用期間４０４、未使用シリアル番号リスト等が挙げられる。
【００５１】
登録画像データは、精算機１が設置された各店舗において作成されるか、券類４の発行会社から提供されるか、または、店舗の本店から配信される。登録画像データを配信するときは、配信対象店に対応した登録画像データを配信する。
【００５２】
また、登録画像データは、サーバー２からの配信に限られず、例えば、入力部１０１から直接入力するか、または、ＣＤやＵＳＢ等の外部メディアからのコピーによって直接、精算機１に登録するようにしてもよい。
【００５３】
以下の表１に、券類４の登録画像データの内容の一例を示す。
【００５４】
【表１】
2016181028.tif 000003
【００５５】
上の表１において、１番目の登録画像データ「＊＊＊＊＊」の配信対象店は「Ａ店」であり、有効利用期間４０４は「2015.2.1 〜 2015.2.29」である。
また、２番目の登録画像データ「＋＋＋＋＋」の配信対象店は「Ｂ店」であり、有効利用期間４０４は「2015.2.1 〜 2015.3.31」である。
また、３番目の登録画像データ「＃＃＃＃＃」の配信対象店は「Ｃ店」であり、有効利用期間４０４は「2015.2.1 〜 2015.2.3」である。
【００５６】
ＣＰＵ１００は、登録画像データから取得した各種情報に基づき、券類４の処理を行う。
【００５７】
このようにすれば、配信等により常に最新の券類４の情報に基づいた処理を行うことが可能となる。
【００５８】
次に、図５に基づき、実施形態１に係るこの発明の券類４の一例について説明する。
図５は、この発明の券類４の一例を示す説明図である。
【００５９】
図５に示されるように、券類４は「１００円割引券」であり、券類情報４０１、識別用ＩＤ４０２および有効利用回数４０３の情報が記載されている。
以下、各情報について説明する。
【００６０】
券類情報４０１は、割引券や商品券などの券類４の特典の情報を顧客に表示するためのものである。
【００６１】
識別用ＩＤ４０２は、個々の券類４を区別するための通し番号である。ＣＰＵ１００は、カメラ１１１および券類認識装置１１２を通して識別用ＩＤ４０２を取得し、券類４を受け付けたとき、通信部１１４を介して識別用ＩＤ４０２をサーバー２に送信させる。
サーバー２は、識別用ＩＤ４０２およびメモリ２０２に予め格納された券類４のデータベースを参照して、個々の券類４の割引率や使用回数等を管理する。
【００６２】
有効利用回数４０３は、券類４の利用可能な回数を顧客に表示するための情報である。
【００６３】
ＣＰＵ１００は、識別用ＩＤ４０２ごとに券類４の使用回数をメモリ１０６に格納しておき、券類４を受け付けた回数が３回を超えると、それ以降は券類４が無効であるものとして受け付けないようにする。
【００６４】
ＣＰＵ１００は、メモリ１０６に予め保持された登録画像データと券類４とを比較照合することにより、券類４が有効な券類４か否かを判定する。
【００６５】
なお、図５の券類４に記載された各種情報の位置および大きさはあくまで一例にすぎず、カメラ１１１が撮影でき、券類認識装置１１２が認識可能な位置および大きさであれば、どのような配置であってもよい。
【００６６】
〔実施形態２〕
次に、図６に基づき、この発明の実施形態２に係る券類４について説明する。
図６は、実施形態２に係るこの発明の券類４の一例を示す説明図である。
【００６７】
図６に示されるように、券類４は「１０％ＯＦＦ」券であり、券類情報４０１、識別用ＩＤ４０２および有効利用期間４０４の情報が記載されている。
券類情報４０１には、「１０％ＯＦＦ」と記載されており、識別用ＩＤ４０２は、「ＩＤ：７８９ＡＢＣ」と記載されている。
【００６８】
また、有効利用期間４０４として、「2015.2.1〜2015.2.28」の期間が記載されている。
有効利用期間４０４は、券類４の利用可能な期間を顧客に表示するための情報である。
【００６９】
ＣＰＵ１００は、有効利用期間４０４と、精算機１の内蔵時計や通信部１１４を通じて取得した日時に基づき、券類４が投入された日時が有効利用期間４０４内にあるか否かを判定する。
なお、有効利用期間４０４の代わりに、「2015.2.28まで」などの有効期限を記載してもよい。
【００７０】
〔実施形態３〕
次に、図７に基づき、この発明の実施形態３に係る券類４について説明する。
図７は、実施形態３に係るこの発明の券類４の一例を示す説明図である。
【００７１】
図７に示されるように、券類４は「１０００円商品券」であり、券類情報４０１、識別用ＩＤ４０２および有効利用条件４０５の情報が記載されている。
券類情報４０１には、「１０００円商品券」と記載されており、識別用ＩＤ４０２は、「発券Ｎｏ．１１１１１」と記載されている。
【００７２】
また、有効利用条件４０５として、「イベント期間中３回有効」と記載されている。
有効利用条件４０５は、券類４の利用可能な条件を顧客に表示するための情報である。
【００７３】
ＣＰＵ１００は、通信部１１４を介してサーバー２と通信を行い、イベント期間の情報を取得し、当該イベント期間の情報と、精算機１の内蔵時計や通信部１１４を通じて取得した日時に基づき、券類４が投入された日時がイベント期間内にあるか否かを判定する。
【００７４】
また、ＣＰＵ１００は、識別用ＩＤ４０２ごとに券類４の使用回数をメモリ１０６に格納しておき、券類４を受け付けた回数が３回を超えると、それ以降は券類４が無効であるものとして受け付けないようにする。
【００７５】
〔実施形態４〕
次に、図８に基づき、この発明の実施形態４に係る券類４について説明する。
図８は、実施形態４に係るこの発明の券類４の一例を示す説明図である。
【００７６】
図８に示されるように、券類４は「無料利用券」であり、券類情報４０１、識別用ＩＤ４０２および有効利用条件４０５の情報が記載されている。
券類情報４０１には、「無料利用券」と記載されており、識別用ＩＤ４０２は、「ＩＤ：０１２」と記載されている。
【００７７】
また、有効利用条件４０５として、「先着１００名、１回のみ有効」と記載されている。
【００７８】
ＣＰＵ１００は、券類４を受け付けたとき、通信部１１４を介してサーバー２と通信を行い、サーバー２のメモリ２０２に券類４の利用回数を格納する。そして、トータルの使用回数が１００回を超えると、それ以降は券類４が無効であるものとして受け付けないようにする。
【００７９】
〔実施形態５〕
次に、図９に基づき、この発明の実施形態５に係る券類４について説明する。
図９は、実施形態５に係るこの発明の券類４の一例を示す説明図である。
【００８０】
図９に示されるように、券類４は「割引券」であり、券類情報４０１、識別用ＩＤ４０２および有効利用条件４０５の情報が記載されている。
券類情報４０１には、「割引券」と記載されており、識別用ＩＤ４０２は、「ＩＤ：ａｂｃ＃１２３」と記載されている。
【００８１】
また、有効利用条件４０５として、「２０１５．２．１〜２０１５．２．３の期間中３０％引き」、「２０１５．２．４〜２０１５．２．２８の期間中１０％引き」、「それ以降は無効」と記載されている。
【００８２】
有効利用条件４０５に示されるように、ＣＰＵ１００は、予め定められた期間に応じて割引率を変え、また、有効利用期間４０４の経過後は券類４を受け付けないようにする。
【００８３】
〔実施形態６〕
次に、図１０に基づき、この発明の実施形態６に係る券類４について説明する。
図１０は、実施形態６に係るこの発明の券類４の一例を示す説明図である。
【００８４】
図１０に示されるように、券類４は「特別割引券」であり、券類情報４０１、識別用ＩＤ４０２および有効利用条件４０５の情報が記載されている。
券類情報４０１には、「特別割引券」と記載されており、識別用ＩＤ４０２は、「発券Ｎｏ．９９９９９９」と記載されている。
【００８５】
また、有効利用条件４０５として、「５回利用するごとに１００円ＯＦＦ」と記載されている。
【００８６】
ＣＰＵ１００は、券類４を受け付けたとき、識別用ＩＤ４０２ごとに券類４の利用回数をメモリ１０６に格納しておく。そして、券類４の利用回数が５回に達するごとに、１００円ＯＦＦの精算処理を行う。
【００８７】
以上、実施形態１〜６に示されるように、従来よりもはるかに多様な種類の券類４を読み取ることができ、その種類および内容に応じた適切な精算処理を行う精算機１を実現する。
【００８８】
〔実施形態７〕
次に、図１１〜１５に基づき、この発明の実施形態７に係る精算機１について説明する。
図１１は、この発明の精算機１の概略構成を示すブロック図である。図１２〜１４は、この発明の実施形態７に係る精算機１の処理を示すフローチャートである。図１５（Ａ）は、この発明の券類４の一例を示す説明図である。図１５（Ｂ）は、図１５（Ａ）の券類４に関連付けられた他の券類５の一例を示す説明図である。
【００８９】
図１１は、図１の実施形態１の精算機１のブロック図に対応する。券類４を一時的に格納するための格納庫である券類一時格納庫１１５以外は、図１のブロック図と同一であるため、説明を省略する。
【００９０】
次に、図１２〜図１４に基づき、この発明の実施形態７に係る精算機１の処理の手順について説明する。
【００９１】
図１２は、図３の実施形態１の精算機１の処理に対応する。それ以前の処理は、図２の処理と同じであるため、説明を省略する。
図１２のステップＳ３１〜Ｓ３３およびＳ３６〜Ｓ３９の処理は、それぞれ図３のステップＳ９〜Ｓ１５の処理と同一であるため、説明を省略する。
ここでは、図３に記載のない図１２のステップＳ３４およびＳ３５の処理、図１３および図１４の処理について説明する。
【００９２】
図１２のステップＳ３３において、登録画像データに基づき、券類４の種類を判別してメモリ１０６に格納した後、ＣＰＵ１００は、続くステップＳ３４において、券類４に関連付けられた他の券類５が存在するか否かを判定する（ステップＳ３４）。
【００９３】
ここで、券類４の関連付けは、メモリ１０６に予め格納されたデータに基づいて行う。
関連付けられた他の券類５とは、券類４と組み合わせることによって効力を発揮する券類であり、例えば、以下のようなものが挙げられる。
（１）特定の地域に住む顧客のみが特典を受けられるクーポン券に対し、例えば、公共料金明細書や保険証、パスポートの写しなど、顧客の住所が記載された紙片。
（２）特定の場所を訪問した顧客のみが特典を受けることができるクーポン券に対し、例えば、その地域限定のスタンプを押した用紙や、その地域の商店街で配布されている用紙、その地域特有のシンボルの写真など、その地域に訪問した証となるものが記載された紙片。
（３）特定の商品を購入した顧客のみ特典を受けることができるクーポン券に対し、例えば、梱包箱または包装紙に記載されたバーコードや図柄、商品のレシート、ＣＤ／ＤＶＤ等に付属のクーポン券など、その商品を購入した証となるものが記載された紙片。
（４）学生や会員など特定の顧客のみ特典を受けることができるクーポン券に対し、例えば、学生証や会員証の写しなど、学生や教職員などの身分を示す紙片。
【００９４】
ステップＳ３４において、券類４に関連付けられた他の券類５が存在する場合（ステップＳ３４の判定がＹｅｓの場合）、ＣＰＵ１００は、ステップＳ３５において、予め定められた時間内にセンサ１０８が新たな紙幣・券類４の投入を検知したか否かを判定する（ステップＳ３５）。
一方、券類４に関連付けられた他の券類５が存在しない場合（ステップＳ３４の判定がＮｏの場合）、ＣＰＵ１００は、ステップＳ３６の判定を行う（ステップＳ３６）。
【００９５】
次に、ステップＳ３５において、予め定められた時間内にセンサ１０８が新たな紙幣・券類４の投入を検知した場合（ステップＳ３５の判定がＹｅｓの場合）、ＣＰＵ１００は、図１３のステップＳ４０において、モーター１０７および搬送路切換ゲート１１０を制御して、先に投入した券類４を券類一時格納庫１１５に搬送し格納する（ステップＳ４０）。
一方、予め定められた時間内にセンサ１０８が新たな紙幣・券類４の投入を検知しなかった場合（ステップＳ３５の判定がＮｏの場合）、ＣＰＵ１００は、ステップＳ３６の判定を行う（ステップＳ３６）。
【００９６】
次に、ステップＳ４１において、ＣＰＵ１００は、新たに投入された紙幣・券類を紙幣判別装置１０９に判別させる（ステップＳ４１）。
【００９７】
次に、ステップＳ４２において、紙幣判別装置１０９の判別結果に基づき、ＣＰＵ１００は、新たに投入された投入物が紙幣か否かを判定する（ステップＳ４２）。
【００９８】
ステップＳ４２の判定において、新たに投入された投入物が紙幣の場合（ステップＳ４２の判定がＹｅｓの場合）、ＣＰＵ１００は、ステップＳ４３において、紙幣の金額をメモリ１０６に格納した後、モーター１０７および搬送路切換ゲート１１０を制御して、紙幣格納庫１０４に紙幣を格納させる（ステップＳ４３）。その後、図１２のステップＳ３５の判定を行う（ステップＳ３５）。
【００９９】
一方、ステップＳ４２の判定において、新たに投入された投入物が紙幣でない場合（ステップＳ４２の判定がＮｏの場合）、ＣＰＵ１００は、ステップＳ４４において、画像データを取得し、当該画像データをメモリ１０６に格納された登録画像データと比較する（ステップＳ４４）。
【０１００】
次に、ステップＳ４５において、ＣＰＵ１００は、メモリ１０６に予め格納された、券類４に関連付けられた他の券類５のデータベースに基づき、新たに投入された券類が、先に投入した券類４と関連付けられた他の券類５か否かを判定する（ステップＳ４５）。
【０１０１】
ステップＳ４５において、新たに投入された券類が、先に投入した券類４と関連付けられた他の券類５の場合（ステップＳ４５の判定がＹｅｓの場合）、ＣＰＵ１００は、ステップＳ４６において、当該他の券類５の種類および内容をメモリ１０６に格納する（ステップＳ４６）。
その後、ＣＰＵ１００は、図１２のステップＳ３４の判定を行う（ステップＳ３４）。
【０１０２】
一方、ステップＳ４５において、新たに投入された券類が、先に投入した券類４と関連付けられた他の券類５でない場合（ステップＳ４５の判定がＮｏの場合）、ＣＰＵ１００は、ステップＳ４７において、モーター１０７を逆回転させて、投入口１０２から当該新たな券類を排出させる（ステップＳ４７）。
その後、ＣＰＵ１００は、ステップＳ３５の判定を行わせる（ステップＳ３５）。
【０１０３】
このようにして、精算機１は、紙幣、券類４および券類４と関連付けられた他の券類５の処理を行う。
【０１０４】
次に、図８に基づき、商品の精算処理について説明する。
図８のステップＳ５１において、ＣＰＵ１００は、投入口１０２から投入された全ての投入物が、紙幣のみからなるものか否かを判定する（ステップＳ５１）。
【０１０５】
ステップＳ５１において、投入口１０２から投入された全ての投入物が、紙幣のみの場合（ステップＳ５１の判定がＹｅｓの場合）、ＣＰＵ１００は、ステップＳ５２において、紙幣の総額から選択された商品の販売額を差し引いた釣銭額を算出する（ステップＳ５２）。
【０１０６】
一方、投入口１０２から投入された全ての投入物が、紙幣のみでない場合（ステップＳ５１の判定がＮｏの場合）、ＣＰＵ１００は、ステップＳ５３において、投入された全ての券類４および他の券類５の組み合わせに応じたトータルの割引額を算出する（ステップＳ５３）。
【０１０７】
次に、ステップＳ５４において、ＣＰＵ１００は、選択された商品の販売額から上記割引額を差し引いた商品の割引後価格を算出する（ステップＳ５４）。
【０１０８】
次に、ステップＳ５５において、ＣＰＵ１００は、紙幣の総額から割引後価格を差し引いた釣銭額を算出する（ステップＳ５５）。
【０１０９】
最後に、ステップＳ５６において、ＣＰＵ１００は、モーター１０７および搬送路切換ゲート１１０を制御して、釣銭額を釣銭取出口１１３から排出させる（ステップＳ５６）。
【０１１０】
次に、図１５（Ａ）（Ｂ）に基づき、実施形態７に係るこの発明の券類４および券類４に関連付けられた他の券類５の一例について説明する。
図１５（Ａ）は、この発明の券類４の一例を示す説明図である。図１５（Ｂ）は、図９（Ａ）の券類４に関連付けられた他の券類５の一例を示す説明図である。
【０１１１】
図１５（Ａ）に示されるように、券類４は「１００円割引券」であり、券類情報４０１、識別用ＩＤ４０２、有効利用回数４０３および利用説明４０６の情報が記載されている。
券類情報４０１には、「１００円割引券」と記載されており、識別用ＩＤ４０２は、「発券Ｎｏ．１２３４５６７」と記載されており、有効利用回数４０３は、「３回まで利用可」と記載されている。
【０１１２】
利用説明４０６は、券類４を利用する顧客への利用方法の説明である。なお、利用説明４０６を券類４に記載する代わりに、券類４の利用方法を掲載したＵＲＬの情報や、当該ＵＲＬの情報を含むバーコードまたはＱＲ（２次元）コードを券類４に記載してもよい。
【０１１３】
利用説明４０６には、「ＡＢＣ店にて商品を1000円以上お買い上げのお客様は本券の他、1000円以上の商品を購入したレシートを投入することで、100円分の追加割引を受けることができます。なお、ＡＢＣ店以外のレシートの場合や、購入額が1000円未満のレシートを投入した場合は、本券の割引は受けられません」と記載されており、券類４に関連付けられた他の券類５がＡＢＣ店のレシートであることを示している。
【０１１４】
図９（Ｂ）に示されるように、レシートには、店名５０１と商品精算情報５０２等の情報が記載されている。
ＣＰＵ１００は、メモリ１０６に予め保持された登録画像データとレシートとを比較照合することにより、レシートが券類４と関連付けられた他の券類５か否かを判定する。そして、レシートが券類４と関連付けられた他の券類５であると判断した場合、ＣＰＵ１００は、レシートの商品精算情報５０２から合計額「￥１，７００円」の情報を抽出し、レシートが券類４と関連付けられた他の券類５か否かを判定する。
【０１１５】
ここで、レシートが他の券類５となる条件は、券類４との関連付けに基づく相対的なものであり、例えば、「１０００円以上の商品購入」を条件とする券類４との関連において、図１５（Ｂ）のレシートが他の券類５としての条件を満たしていたとしても、「２０００円以上の商品購入」を条件とする券類４との関連においては、図１５（Ｂ）のレシートは他の券類５としての条件を満たさない。
【０１１６】
このようにして、複数の券類を組み合わせて、その組み合わせに応じた処理を行うことで、追加特典や顧客の認証など、より多様で柔軟な処理を行うことができる精算機１を実現できる。
【０１１７】
〔実施形態８〕
次に、図１６に基づき、この発明の実施形態８に係る精算機１について説明する。
図１６は、実施形態８に係るこの発明の券類４の一例を示す説明図である。
【０１１８】
図１６に示されるように、券類４は「１０％ＯＦＦ」の割引券であり、券類情報４０１、識別用ＩＤ４０２、有効利用期間４０４および利用説明４０６の情報が記載されている。
券類情報４０１には、「１０％ＯＦＦ」と記載されており、識別用ＩＤ４０２は、「発券Ｎｏ．８９０１２３」と記載されている。
また、有効利用期間４０４として、「2015.2.1〜2015.2.28」の期間が記載されている。
【０１１９】
利用説明４０６には、「さらに、地域限定特典+20%OFF」として、「ＤＥＦ地区にお住まいのお客様は、当券の他、ＤＥＦ地区の住所が記載された公共料金支払書を投入すると 追加割引を受けることができます」と記載されており、券類４に関連付けられた他の券類５が、「ＤＥＦ地区の住所が記載された公共料金支払書」であることを示している。
【０１２０】
ＣＰＵ１００は、精算機１の投入口１０２に紙幣と合わせて券類４のみが投入された場合は、「１０％ＯＦＦ」の通常のクーポン券として処理を行い、一方、紙幣および券類４の他に、ＤＥＦ地区の住所が記載された公共料金支払書が投入口１０２に投入された場合は、さらに「２０％ＯＦＦ」の追加割引を受けた「３０％ＯＦＦ」のクーポン券として処理を行う。
【０１２１】
ＣＰＵ１００は、メモリ１０６に予め格納された公共料金支払書のデータと、投入口１０２から投入された公共料金支払書のデータとを比較し、その記載箇所から住所の情報を取得する。そして、当該住所が「ＤＥＦ地区」の住所に該当する場合は、当該公共料金支払書を有効なものとして受け付けて、「２０％ＯＦＦ」の追加割引を適用する。
【０１２２】
なお、ＤＥＦ地区の住所に該当するか否かに関わらず、ＣＰＵ１００は、公共料金支払書を顧客に返却する。
このように、プライベートな情報が記載された他の券類５を顧客に返却することにより、個人情報の流出を防止することが可能となる。
【０１２３】
〔実施形態９〕
次に、図１７に基づき、この発明の実施形態９に係る精算機１の処理について説明する。
図１７は、実施形態９に係るこの発明の券類４の一例を示す説明図である。
【０１２４】
図１７に示されるように、券類４は、「割引券／商品券」であり、券類情報４０１、識別用ＩＤ４０２、有効利用条件４０５および利用説明４０６の情報が記載されている。
券類情報４０１には、「割引券／商品券」と記載されており、識別用ＩＤ４０２は、「発券Ｎｏ．１１１１１１１」と記載されている。
また、有効利用条件４０５として、「イベント期間中１回限り有効」と記載されている。
【０１２５】
利用説明４０６には、「町おこし特別企画」として、「Ａ町、Ｂ町、Ｃ町、Ｄ町の商店街を訪問されたお客様は 各商店街内に設置されたご当地キャラの写真を投入するとキャラの組み合わせに応じたさまざまな特典を受けることができます。詳しくは、以下のURLを参照してください。https: //www.machiokoshi-special-kikaku.net」と記載されており、券類４に関連付けられた他の券類５が、「Ａ町、Ｂ町、Ｃ町、Ｄ町の商店街内に設置されたご当地キャラの写真」であることを示している。
【０１２６】
ＣＰＵ１００は、例えば、Ａ町のご当地キャラの写真のみが投入されたときは、「５％割引」を行い、Ａ町〜Ｄ町のご当地キャラの写真が全て投入されたときは、「５００円分の商品券」として、５００円分の金額を加える処理を行う。
このように、写真の組み合わせに応じた柔軟なサービスが可能となる。
なお、写真の流用を防ぐため、全く同一の写真が使用された場合は、これを無効とするなどの防止策をとるようにしてもよい。
【０１２７】
〔実施形態１０〕
次に、図１８に基づき、この発明の実施形態１０に係る精算機１の処理について説明する。
図１８は、実施形態１０に係るこの発明の券類４の一例を示す説明図である。
【０１２８】
図１８に示されるように、券類４は「１０００円商品券」であり、券類情報４０１、識別用ＩＤ４０２、有効利用条件４０５および利用説明４０６の情報が記載されている。
券類情報４０１には、「１０００円商品券」と記載されており、識別用ＩＤ４０２は、「発券Ｎｏ．１２３」と記載されている。
また、有効利用条件４０５として、「先着１００名、１回のみ有効」と記載されている。
【０１２９】
また、利用説明４０６には、「XYZクラブ会員限定特典」として、「XYZクラブ会員のお客様は、当券の他、(1)XYZクラブ会員証の写し、(2)パスワードを記載した紙片、(3)会員の氏名を記載した免許証（又は保険証）の写しを投入することで会員限定特典を受けることができます」と記載されており、券類４に関連付けられた他の券類５が、「(1)XYZクラブ会員証の写し、(2)パスワードを記載した紙片、(3)会員の氏名を記載した免許証（又は保険証）の写し」の３種類であることを示している。
【０１３０】
ＣＰＵ１００は、受け付けたか否かに関わらず、「１０００円商品券」以外の会員証の写し等の関連付けられた他の券類５を全て顧客に返却する。
【０１３１】
このようにして、クーポン券に限らず、パスワードを記載した紙片や会員証、免許証または保険証の写しなど、さまざまな券類４を関連付けて使用できるため、従来よりもはるかに多様なサービスが実現できる。
【０１３２】
（その他の実施形態）
１．実施形態１〜１０において、券類４に複数種類の特徴パターンを印字しておき、期間や地域の違い等に応じて、それらの特徴パターンを使い分けるようにしてもよい。（実施形態１１）
【０１３３】
このようにすれば、期間や地域に応じた柔軟な割引サービスを提供することが可能となる。
【０１３４】
２．実施形態１〜１１において、それぞれの精算機１が券類４をどれだけ受け入れたかをメモリ１０６に格納しておき、サーバー２に接続して受入記録の同期をとることにより、券類４の利用率や地域・時間帯による利用率の差をサーバー２上で算出するようにしてもよい。（実施形態１２）
【０１３５】
このようにすれば、精算機１ごとに券類４の利用がどの程度なされているか調査でき、サービスの実態を把握することが可能となる。
【０１３６】
３．実施形態１〜１２において、カメラ１１１および画像認識装置により、紙幣の判別と券類４の認識を同一の装置で行うようにしてもよい。（実施形態１３）
【０１３７】
このようにすれば、一の装置で紙幣の判別と券類４の認識を行うことができるため、精算機１の内部のスペースを小さくできるとともに、コストの削減も可能となる。
【０１３８】
４．実施形態１〜１３の精算機１を備えた自動販売機であってもよい。（実施形態１４）
【０１３９】
このようにすれば、紙幣以外に多様な種類の券類４を読み取ることができ、その種類および内容に応じた適切な精算処理を行う自動販売機を実現できる。
【０１４０】
なお、自動販売機は、商品の販売機のみに限らず、乗車券や食券等を販売する券売機や、セルフのガソリンスタンド、コインランドリー、コイン精米機、プリンタや複合機の精算装置、キャッシュレジスタなど、精算機１を有する全ての機器が含まれる。
【０１４１】
以上に述べたように、
（ｉ）この発明の精算機は、購入に係る商品の選択指令を受け付ける入力部と、紙幣または紙幣以外の券類を投入し、または排出する投入口と、前記投入口から投入された投入物を搬送させる搬送部と、前記投入物が紙幣か券類かを判別する判別部と、前記紙幣の種類およびその金額を認識する紙幣認識部と、前記紙幣および前記券類の画像データを取得する画像データ取得部と、有効な前記券類のデータベースを予め保持したメモリと、前記画像データおよび前記データベースに基づき、前記券類の種類および内容を認識する券類認識部と、制御部とを備え、前記制御部は、前記投入物が紙幣か券類かを前記判別部に判別させ、前記投入物が紙幣の場合、その種類および金額を前記紙幣認識部に認識させ、前記投入物が券類の場合、その種類および内容を前記券類認識部に認識させ、前記券類が有効なものと判断した場合、前記券類を受け付け、前記入力部によって選択された前記商品の販売額、前記紙幣の金額および前記券類の内容に基づき釣銭額を決定し、一方、前記券類が無効なものと判断した場合、前記搬送部を制御して前記券類を前記投入口から排出させることを特徴とする。
【０１４２】
この発明において、「精算機」は、自動販売機や券売機等において商品が選択され、投入口から紙幣が投入されたとき、投入金額の総額と商品の購入金額とを比較して、その差額に相当する釣銭額を決定する装置である。
「券類」は、割引券、金券、商品券、商品引換券、回数券などの券類であり、広告や案内ハガキから切り離して使用するものや、インターネットからダウンロードして使用するものなどが挙げられる。
「有効な前記券類のデータベース」は、精算機が受け付け可能な券類のデータベースである。
「商品」は、例えば、自動販売機においては販売に係る商品であり、券売機においては販売に係る券類であるが、この発明に係る精算機は、商品に限らず、サービスにも適用できる。
【０１４３】
なお、「判別部」、「紙幣認識部」および「券類認識部」は、まとめて１つの装置で処理するようにしてもよい。あるいは、「判別部」および「紙幣認識部」を１つの装置で処理するようにしてもよく、その他の組み合わせであってもよい。
【０１４４】
さらに、この発明の好ましい態様について説明する。
（ii）この発明による精算機において、前記券類の内容は、前記券類の識別用ＩＤおよび有効利用回数を含み、前記制御部は、前記券類が有効なものと判断した場合、前記券類を受け付け、前記識別用ＩＤおよびその利用回数を前記メモリに保持して精算処理を行った後、前記投入口から前記券類を排出させ、一方、前記券類が無効なものと判断した場合、前記券類を受け付けずに、前記投入口から前記券類を排出させるものであってもよい。
【０１４５】
このようにすれば、クーポン券の利用回数が予め定められた有効利用回数内にあるか否かを判断し、当該判断結果に応じた処理を行う精算機を実現できる。
【０１４６】
「識別用ＩＤ」は、例えば、発券番号等の識別用の数字、文字列もしくは記号（図柄）またはそれらを組み合わせたものなどが挙げられる。
【０１４７】
（iii）この発明による精算機において、前記券類の内容は、有効利用期間または期限を含み、前記制御部は、前記有効利用期間または前記期限内であるか否かに基づき、前記券類が有効か否かを判断するものであってもよい。
【０１４８】
このようにすれば、クーポン券の利用期間が予め定められた有効利用期間または期限内にあるか否かを判断し、当該処理内容に応じた処理を行う精算機を実現できる。
【０１４９】
（iv）この発明による精算機において、前記券類の内容は、前記券類の利用期間に応じて異なる割引率または特典を有し、前記制御部は、前記利用期間に応じた処理を行うものであってもよい。
【０１５０】
このようにすれば、クーポン券の利用期間によって割引率などの特典が変わる場合においても、利用期間に応じた処理を行う精算機を実現できる。
【０１５１】
「特典」は、例えば、１０％割引券や１００円割引券、１０００円商品券、商品引換券、無料利用券などの券類が有する特典である。
【０１５２】
（ｖ）この発明による精算機において、前記券類の内容は、前記券類の利用回数によって異なる効力を有し、前記制御部は、前記利用回数に応じた処理を行うものであってもよい。
【０１５３】
このようにすれば、クーポン券の利用回数によって割引率などの特典が変わる場合においても、利用回数に応じた処理を行う精算機を実現できる。
【０１５４】
（vi）この発明による精算機において、前記メモリは、前記券類に関連付けられた他の券類のデータを前記データベースに保持し、前記券類および前記他の券類が前記投入口から投入された場合、前記制御部は、前記券類および前記他の券類の組み合わせの種類に応じた処理を行うものであってもよい。
【０１５５】
このようにすれば、複数の券類を組み合わせて、その組み合わせに応じた処理を行うことで、より多様で柔軟な処理を行うことができる精算機を実現できる。
【０１５６】
「他の券類」は、例えば、レシート、会員証、写真、個人情報が記載された券類またはＩＤ・パスワードが記載された券類などが挙げられる。
【０１５７】
（vii）また、前記精算機を備えた自動販売機であってもよい。
【０１５８】
このようにすれば、紙幣以外に多様な種類の券類を読み取ることができ、その種類および内容に応じた適切な精算処理を行う自動販売機を実現できる。
【０１５９】
「自動販売機」は、商品の販売機のみに限らず、乗車券や食券等を販売する券売機や、セルフのガソリンスタンド、コインランドリー、コイン精米機、プリンタや複合機の精算装置、キャッシュレジスタなど、精算機を有する全ての機器が含まれる。
【０１６０】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１６１】
１：精算機、    ２：サーバー、    ３：ネットワーク、    ４：券類、    ５：他の券類、    １００，２００：ＣＰＵ、    １０１：入力部、    １０２：投入口、    １０３：搬送路、    １０４：紙幣格納庫、    １０５：券類格納庫、    １０６，２０２：メモリ、    １０７：モーター、    １０８：センサ、    １０９：紙幣判別装置、    １１０：搬送路切換ゲート、    １１１：カメラ、    １１２：券類認識装置、    １１３：釣銭取出口、    １１４：通信部、    １１５：券類一時格納庫、    ２０１：通信部、    ４０１：券類情報、    ４０２：識別用ＩＤ、    ４０３：有効利用回数、    ４０４：有効期間、    ４０５：有効利用条件、    ４０６：利用説明、    ５０１：店名、    ５０２：商品精算情報
【図１】
2016181028.tif 000004
【図２】
2016181028.tif 000005
【図３】
2016181028.tif 000006
【図４】
2016181028.tif 000007
【図５】
2016181028.tif 000008
【図６】
2016181028.tif 000009
【図７】
2016181028.tif 000010
【図８】
2016181028.tif 000011
【図９】
2016181028.tif 000012
【図１０】
2016181028.tif 000013
【図１１】
2016181028.tif 000014
【図１２】
2016181028.tif 000015
【図１３】
2016181028.tif 000016
【図１４】
2016181028.tif 000017
【図１５（Ａ）】
2016181028.tif 000018
【図１５（Ｂ）】
2016181028.tif 000019
【図１６】
2016181028.tif 000020
【図１７】
2016181028.tif 000021
【図１８】
2016181028.tif 000022